(57)【要約】【課題】  遊技中の遊技者に不快感を与えず、悪意の遊技者の不正行為を防止する。【解決手段】  本発明に係る遊技機１１の施錠装置１５は、施錠金具３５には上下方向に傾動可能なフック部材４４が設けられ、施錠受け金具３７にはフック部材４４が係合可能な施錠受け部８１が設けられており、フック部材４４と施錠受け部８１との間の前後方向の間隙１００に対して進退可能なフック部材当接部１１６，１２４を備えた回転変位部材１１２，１２７が回転可能に設けられており、回転変位部材１１２，１２７の回転に伴い、フック部材当接部１１６，１２４が間隙１００に進入し、フック部材４４に当接可能なように設けられ、回転変位部材１１２，１２７は開閉搭載枠１３の前面側から操作具１２１を介して回転操作可能なように構成されていることを特徴とする。【選択図】  図１５ 
2005261659.tif 000002
【特許請求の範囲】
【請求項１】
基枠に開閉可能に支持された開閉搭載枠の施錠金具が前記基枠の施錠受け金具に係止することにより、前記開閉搭載枠が前記基枠に閉鎖状態に保持されるように構成された遊技機の施錠装置であって、
前記施錠金具には上下方向に傾動可能なフック部材が設けられ、前記施錠受け金具には前記フック部材が係合可能な施錠受け部が設けられており、前記フック部材と前記施錠受け部との間の前後方向の間隙に対して進退可能なフック部材当接部を備えた回転変位部材が回転可能に設けられており、該回転変位部材の回転に伴い、前記フック部材当接部が前記間隙に進入し、前記フック部材に当接可能なように設けられ、前記回転変位部材は前記開閉搭載枠の前面側から操作具を介して回転操作可能なように構成されていることを特徴とする遊技機の施錠装置。
【発明の詳細な説明】
【技術分野】
【０００１】
本発明は、基枠に開閉可能に支持された開閉搭載枠の施錠金具が前記基枠の施錠受け金具に係止することにより、開閉搭載枠が基枠に閉鎖状態に保持されるように構成された遊技機の施錠装置に関する。
【背景技術】
【０００２】
従来、パチンコ遊技機やスロットマシン等の遊技機には、遊技島に設置するための設置枠台としての基枠（通常、パチンコ遊技機では「外枠」、スロットマシンでは「キャビネット」と称する。）と、この基枠の正面左側上下に設けられたヒンジ機構を介して基枠に対して横方向に開閉可能に支持された開閉搭載枠（通常、パチンコ遊技機では「前枠」、スロットマシンでは「フロントマスク」と称する。）とが設けられている。
【０００３】
そして、遊技機の正面右側には、上下２箇所に、図２２又は図２３に示すように、開閉搭載枠側の施錠金具１と基枠側の施錠受け金具２とから成る施錠装置３が設けられており、その施錠受け金具２の施錠受け部４に施錠金具１のフック部材５が係合することにより、前記開閉搭載枠が基枠に対して閉鎖状態に保持され、遊技機が遊技に供されるようになっている。（例えば、特許文献１参照）。
【０００４】
【特許文献１】特開２００２−１５９７１１号公報
【発明の開示】
【発明が解決しようとする課題】
【０００５】
しかしながら、上記した従来の遊技機では、基枠に対して開閉搭載枠を開閉可能に設けるために、図２２（ｂ）又は図２３（ｂ）に示すように、施錠装置３の施錠金具１と施錠受け金具２との係合部分やヒンジ機構に、逃げ寸法としてある程度の間隙（例えば、図２２（ｂ）中の寸法ｔ１又は図２３（ｂ）中の寸法ｔ２）を設けざるを得なかった。そのため、開閉搭載枠が閉鎖状態に保持され、遊技に供された状態において、開閉搭載枠が基体に対して前後左右方向に僅かに揺動するのを防止することができなかった。
【０００６】
したがって、例えば、スロットマシンの場合には、遊技中、フロントマスクに設けられたスタートレバーやストップスイッチ等の操作具を操作する際にフロントマスクが揺動し、遊技者に不快感を与えるおそれがあった。また、パチンコ遊技機の場合には、上記したスロットマシンの場合と同様の問題に加えて、前枠に搭載された遊技盤が揺動すると、遊技領域における遊技球の転動方向が変化するため、このことを悪用して、前枠を故意に揺動させて遊技球の転動方向を変化させる不正行為を行う遊技者が出現するといった問題があった。この問題は、クルーンと呼ばれる役物を採用している遊技機においては、遊技球の転動方向の変化により、特別遊技に移行する条件となる入賞口への入賞率が変化し、遊技球の出球率が大きく変わるため、特に、深刻であった。
【０００７】
本発明は、上記した課題を解決すべくなされたものであり、遊技中の遊技者に不快感を与えることがなく、悪意の遊技者の不正行為を防止することが可能な遊技機の施錠装置を提供しようとするものである。
【課題を解決するための手段】
【０００８】
本発明は、基枠１２に開閉可能に支持された開閉搭載枠１３の施錠金具３５が基枠１２の施錠受け金具３７に係止することにより、開閉搭載枠１３が基枠１２に閉鎖状態に保持されるように構成された遊技機１１の施錠装置１５であって、施錠金具３５には上下方向に傾動可能なフック部材４４が設けられ、施錠受け金具３７にはフック部材４４が係合可能な施錠受け部８１が設けられており、フック部材４４と施錠受け部８１との間の前後方向の間隙１００に対して進退可能なフック部材当接部１１６，１２４を備えた回転変位部材１１２，１２７が回転可能に設けられており、回転変位部材１１２，１２７の回転に伴い、フック部材当接部１１６，１２４が間隙１００に進入し、フック部材４４に当接可能なように設けられ、回転変位部材１１２，１２７は開閉搭載枠１３の前面側から操作具１２１を介して回転操作可能なように構成されていることを特徴とする。
【発明の効果】
【０００９】
本発明によれば、基枠に対する開閉搭載枠の揺動を防止することができるので、遊技中の遊技者に不快感を与えることがなく、また、悪意の遊技者の不正行為を防止することができる。
【発明を実施するための最良の形態】
【００１０】
以下、図面を参照しつつ、本発明の実施の形態について説明する。なお、以下の説明では、本発明をパチンコ遊技機に使用した場合を例示して説明する。
【００１１】
先ず、図１〜図３を参照しつつ、本発明の第１の実施の形態におけるパチンコ遊技機の概略構成について説明する。ここで、図１は本実施の形態におけるパチンコ遊技機を示す正面図及びその施錠装置を拡大して示す正面図、図２はそのパチンコ遊技機を開放した状態を示す背面図及びその施錠装置を拡大して示す背面図、図３はそのパチンコ遊技機を示す側面図及びその施錠装置を拡大して示す側面図である。
【００１２】
このパチンコ遊技機１１は、基枠として方形枠状に形成された外枠１２と、この外枠１２の開口面域に整合するように方形状に形成された開閉搭載枠としての前枠１３とを備えており、前枠１３は、外枠１２に対して、外枠１２の正面左側上下に設けられたヒンジ金具１４ａ，１４ｂにより開閉可能に取り付けられていると共に、正面右側に設けられた施錠装置１５により閉鎖状態に保持されるようになっている。
【００１３】
前枠１３には、遊技盤１６が収容されており、遊技盤１６の前面側には、図柄表示装置１７、中央飾り１８、始動入賞口１９、大入賞口２０等の各種遊技部品がそれぞれ配設され、遊技領域２１が形成されている。そして、前枠１３の正面側には、ガラス扉２２が開閉可能且つ着脱可能に取り付けられ、ガラス扉２２は施錠装置１５により前枠１３に閉鎖状態に保持されるようになっている。また、前枠１３のガラス扉２２の下方には上球皿２３が設けられ、その上球皿２３の下方には下球皿２４が設けられ、さらに、下球皿２４の正面右側には発射ハンドル２５が前方に突出して設けられている。
【００１４】
一方、前枠１３の背面側には裏セット盤２６が設けられている。その裏セット盤２６は、背面側から見て右側の上下に設置されたヒンジ２７ａ，２７ｂにより開閉可能に設けられ、さらに、閉鎖レバー２８ａ，２８ｂ，２８ｃにより遊技盤１６の裏面を覆うように閉鎖状態に保持されるようになっている。そして、裏セット盤２６には、予備賞球を貯留する球貯留タンク２９、遊技球を整列状態で待機させる待機通路３０、遊技盤１６での入賞状態等に基づき賞球を払い出す球払出装置３１、球払出装置３１から払い出された賞球を上球皿２３又は下球皿２４に排出するための球払出通路３２等の賞球装置が装備されていると共に、電源基板３３や遊技制御基板３４等の各種回路基板及び電子部品等が取付けられている。
【００１５】
次に、図１〜図３を参照しつつ、このパチンコ遊技機１における施錠装置１５の概略構成について説明する。
【００１６】
施錠装置１５は、前枠１３の右側部背面側に設けられた施錠金具３５と、外枠１２の右側枠杆３６の内面側において上下２箇所に設けられた施錠受け金具３７とから構成されている。
【００１７】
施錠金具３５は、略Ｌ字状に折曲成形されたベース板３８を基体として構成されており、ベース板３８には、前枠１３の右側部背面に沿って複数のネジにより固定される固定片４０と、固定片４０の左側部から後方に折曲された立設片４１とが形成されている。そして、立設片４１の上下端部には、それぞれ、内側方に延出する支持片部４２が形成されており、各支持片部４２にはリベット状の傾動支点４３を介して上下のフック部材４４が傾動可能に枢設されている。
【００１８】
この上下のフック部材４４の各基端部には、リベット状の連結支点４５を介してそれぞれ第１昇降杆４６の上下端部が枢設されており、第１昇降杆４６は、固定片４０に突設された複数のガイド突部４７と立設片４１とにより左右方向への変位が規制されるようになっている。また、第１昇降杆４６は、固定片４０との間に掛け渡されたバネ４８により下方に付勢されていると共に、立設片４１の下端に突設されたストッパ部４９により、下方への移動が規制されるようになっている。これにより、フック部材４４と第１昇降杆４６とはリンク機構を構成し、通常は、フック部材４４及び第１昇降杆４６が所定の施錠位置に保持されており、第１昇降杆４６をバネ４８の付勢力に抗して上昇させると、傾動支点４３を支点として上下のフック部材４４の先端部が略水平姿勢から下方に傾動し、解錠状態に移行するようになっている。
【００１９】
ベース板３８の立設片４１と第１昇降杆４６の間には、ガラス扉２２を施錠又は解錠するための第２昇降杆５０が挟装されており、第２昇降杆５０は、第１昇降杆４６に形成された第１案内長孔５１と第２昇降杆５０に形成された第２案内長孔５２とを貫通して立設片４１に固着されたリベット状の案内ピン５３により、昇降可能に保持されている。また、第２昇降杆５０には、内側方に折曲された操作片５４が形成されており、操作片５４は立設片４１に形成された長孔（図示せず）を貫通している。さらに、第２昇降杆５０は、固定片４０との間に掛け渡されたバネ５５により上方に付勢されていると共に、前記長孔の上端面と操作片５４の上端部とが当接することにより施錠位置に保持されるようになっている。
【００２０】
ベース板３８の固定片４０の中央部分には、前枠１３の前面側に鍵穴５６が露出するように錠５７が取り付けられており、錠５７の回動軸５８の後端には解錠盤５９が固定されている。解錠盤５９には、それぞれ第１突出端部６０及び第２突出端部６１が内側方に突出して形成されており、第１突出端部６０は前枠１３を解錠させるために機能し、第２突出端部６１はガラス扉２２を解錠させるために機能するようになっている。そして、解錠盤５９は、解錠操作時以外には中立角度位置に保持され、鍵を鍵穴５６に挿入すると、回動軸５８が回動可能な状態になり、鍵を左右２方向に回転操作可能となっている。一方、第１昇降杆４６の第１突出端部６０及び第２突出端部６１に対応する位置には第１係合孔６２が形成されており、第１係合孔６２の開口端面６３に第１突出端部６０の先端が係合可能となっている。また、第２昇降杆５０の第２突出端部６１に対応する位置には第２係合孔６４が形成されており、第２係合孔６４の開口端面６５に第２突出端部６１の先端が係合可能となっている。
【００２１】
したがって、前枠１３の前面側から鍵穴５６に鍵を挿入し、右方向に回転させると、解錠盤５９は同方向（図２では左方向）に回転し、第１突出端部６０の先端が第１係合孔６２の開口端面６３に係合し、第１昇降杆４６はバネ４８の付勢力に抗して上昇すると共に上下のフック部材４４が傾動し、前枠１３が施錠状態から解錠状態に移行するようになっている。一方、前枠１３の前面側から鍵穴５６に挿入した鍵を左方向に回転させると、解錠盤５９は同方向（図２では右方向）に回転し、第２突出端部６１の先端が第２係合孔６４の開口端面６５に係合し、第２昇降杆５０はバネ５５の付勢力に抗して下降すると共に操作片５４が下降し、ガラス扉２２が施錠状態から解錠状態に移行するようになっている。
【００２２】
次に、図４〜図１１を参照しつつ、本発明の第１の実施の形態に係る遊技機の施錠装置について説明する。なお、該実施の形態に係る施錠装置は上部及び下部共に同様の構成を有しているので、以下の説明では、説明の簡略化のため、施錠装置の上部を主体に説明する。
【００２３】
ここで、図４は該実施の形態に係る遊技機の施錠装置を示す分解斜視図、図５は施錠装置を示す斜視図、図６（ａ）は施錠装置の操作前の状態を示す側面図、図６（ｂ）はその操作後の状態を示す側面図、図７は施錠装置を分解して示す側面図、図８（ａ）〜（ｃ）は前後揺動抑止機構の作用を示す側断面図、図９は施錠装置を示す平面図、図１０は施錠装置の要部を示す平面図、図１１（ａ）は施錠装置の操作前の状態を示す背面図、図１１（ｂ）はその操作後の状態を示す背面図である。
【００２４】
上記した施錠金具３５において、フック部材４４では、先端部分７１が内側にクランク状に折曲して形成されており、その先端部分７１の上端部には三角形状の受け部係合部７２が形成されている。受け部係合部７２の基端面７３は鉛直面に対して先端側に傾斜角度α、傾斜して形成されており、この傾斜角度αは、傾動支点４３を中心として基端面７３の最下点を通過するように描いた半径ｒの円弧より基端面７３が外側に位置するように設定されている（図７参照）。そして、フック部材４４の先端部分７１には、外側面に先端曲面状の左右方向移動規制ピン７４が垂直に突設され、内側面に半球面状の施錠受け金具当接部７５が突設されている。また、立設片４１の支持片部４２の下端部には、フック部材４４の基端部分７６を挟み込むように折曲された挟持片部７７が形成されており、挟持片部７７によりフック部材４４の左右方向の変位を抑止可能となっている。なお、右側枠杆３６の内面前側角部には、ネジ逃げ用の座グリ部６６が切欠されており、ベース板３８固定用のネジ６７が右側枠杆３６に干渉しないようになっている。この場合、ネジ６７に皿ネジを使用すれば、座グリ部６６を設ける必要はない。
【００２５】
一方、上記した施錠受け金具３７には、ベース部材７８が設けられている。ベース部材７８は、右側枠杆３６の内面に形成された欠込み部７９に対してネジ止めすることにより右側枠杆３６に固定される固定部８０と、固定部８０の前端において内方に垂直に折曲され、フック部材４４の受け部係合部７２が係合可能なように鉛直姿勢を成す施錠受け部８１と、施錠受け部８１の先端においてさらに後方に垂直に折曲された鉛直姿勢の左右方向移動規制部８２とから構成されており、左右方向移動規制部８２の下端部外側面には、フック部材４４の受け部係合部７２を施錠受け部８１に誘い込み易くするために、傾斜面８４が形成されている。
【００２６】
固定部８０の下端には左右方向移動規制ピン７４が当接可能なように受け座９０が内方に突出してネジ止めされており、受け座９０の下端部には、左右方向移動規制ピン７４を受け座９０に誘導し易くするために、案内部９１が傾斜して形成されている。このように、受け座９０を内方に突設させることにより、左右方向移動規制ピン７４の外方への突出長の短縮化が図れるので、前枠１３の開閉操作時に左右方向移動規制ピン７４が右側枠杆３６に干渉するのを防止するために右側枠杆３６の内面前側部分を欠き込む等の加工を行う必要がなくなり、外枠１２の加工作業を省力化することができると共に、外枠１２の強度を保持することができる。
【００２７】
施錠受け部８１には、中央部にネジ孔８５が螺刻されており、そのネジ孔８５に対応した位置に六角ナット８６が固着され、ネジ孔８５及び六角ナット８６には、施錠受け部８１の後方から前後変位部材８７が螺挿されている。前後変位部材８７は、金属製で、切削加工等の加工方法により形成され、ネジ孔８５及び六角ナット８６に螺合可能なネジ部８３と、ネジ部８３の頭部に形成された操作部８９と、操作部８９とネジ部８３との間に鍔状に形成されたフック部材当接部９５とから構成され、フック部材当接部９５は円盤形状を成している。フック部材当接部９５の外周部９６の後面には傾斜面９７が形成されており、鉛直面に対するこの傾斜面９７の傾斜角度βは受け部係合部７２の基端面７３の傾斜角度αと同一又はそれ以下の角度に設定されている（図７参照）。また、操作部８９の端部には六角柱状の係合溝部８８が形成されており、六角レンチ等の操作具９２をこの係合溝部８８に係合させ、回転させると、前後変位部材８７が施錠受け部８１に対してネジの作用により前後方向に進退するようになっている。
【００２８】
このように、前後変位部材８７の回転により、フック部材当接部９５が後方に移動すると、フック部材当接部９５の外周部９６がフック部材４４の基端面７３に当接し、フック部材４４の前後方向の移動を規制し、外枠１２に対する前枠１３の前後方向の揺動が抑止可能となるように構成されている。すなわち、ベース部材７８の施錠受け部８１と、前後変位部材８７のフック部材当接部９５とを主体として、前後揺動抑止機構が構成されている。
【００２９】
また、フック部材４４の受け部係合部７２が施錠受け部８１に係合し、左右方向移動規制ピン７４の先端が受け座９０に当接すると共に施錠受け金具当接部７５が左右方向移動規制部８２に当接すると、フック部材４４の左右方向の揺動が規制され、外枠１２に対する前枠１３の左右方向の揺動が抑止可能となるように構成されている。すなわち、左右方向移動規制部８２と、左右方向移動規制ピン７４と、施錠受け金具当接部７５と、受け座９０とを主体として、左右揺動抑止機構が構成されている。
【００３０】
次に、本発明の第１の実施の形態に係る遊技機の施錠装置の作用について説明する。なお、該実施の形態に係る施錠装置は上部及び下部共に同様の構成を有しているので、以下の説明では、説明の簡略化のため、施錠装置の上部を主体に説明する。
【００３１】
前枠１３をヒンジ金具１４ａ，１４ｂを支点として回転させ、外枠１２に対して前枠１３を押し込むと、図６（ａ）及び図１１（ａ）に示すように、受け部係合部７２が施錠受け部８１の下端と係合し、フック部材４４は下方に傾動する。この時、挟持片部７７によりフック部材４４の左右方向の変位が防止されているため、フック部材４４の傾動動作は円滑且つ確実に行われる。
【００３２】
そして、前枠１３をさらに閉鎖位置まで押し込むと、受け部係合部７２の頂部が施錠受け部８１を潜り越え、受け部係合部７２は施錠受け部８１に掛止する。受け部係合部７２の基端面７３の傾斜角度αが傾動支点４３を中心として基端面７３の最下点を通過するように描いた半径ｒの円弧より基端面７３が外側に位置するように設定されており、また、施錠受け金具当接部７５が半球状に形成されていると共に左右方向移動規制部８２の下端外面に傾斜面８４が形成されているため、上記した施錠受け部８１に対する受け部係合部７２の掛止動作は円滑且つ確実に行われる。また、この時、左右方向移動規制ピン７４の先端は案内部９１により案内され、受け座９０に当接すると共に、施錠受け金具当接部７５が左右方向移動規制部８２に当接するため、フック部材４４の左右方向の揺動が規制され、外枠１２に対する前枠１３の左右方向の揺動が抑止される（図１０参照）。
【００３３】
次に、このように受け部係合部７２が施錠受け部８１に掛止した状態において、前後変位部材８７を回転させる。そうすると、施錠受け部８１に対して前後変位部材８７のフック部材当接部９５が後方に移動し、図６（ｂ）及び図１１（ｂ）に示すように、フック部材当接部９５の外周部９６がフック部材４４の基端面７３に当接し、フック部材４４の前後方向の移動が規制される。
【００３４】
より具体的には、例えば、図８（ａ）に示すように、フック部材４４の基端面７３と施錠受け部８１の後面との間に前後方向の間隙１００がまったく生じない理想的な場合には、フック部材当接部９５はフック部材４４の基端面と施錠受け部８１の後面とに挟持された状態となる。一方、図８（ｂ）及び図８（ｃ）に示すように、フック部材４４の基端面７３と施錠受け部８１の後面との間に前後方向の間隙１００が生じている（図８（ｂ）におけるｓ１、図８（ｃ）におけるｓ２）場合には、フック部材当接部９５は、施錠受け部８１の後面から後方に離間した状態で、フック部材４４の基端面７３に当接し、これにより、フック部材４４の前後方向の移動が規制され、外枠１２に対する前枠１３の前後方向の揺動が抑止される。
【００３５】
上記したように、フック部材当接部９５の傾斜面９７の傾斜角度βが受け部係合部７２の基端面７３の傾斜角度αと同一又はそれ以下の角度に設定されているため（図７参照）、前後変位部材８７の回転動作及びフック部材当接部９５の後方への移動動作はいずれも円滑且つ確実に行われる。
【００３６】
このように、上記第１の実施の形態によれば、パチンコ遊技機１１の出荷時に製造ライン上において、外枠１２に前枠１３をセットした状態で前記揺動防止機構の操作及び調整を背面側から目視しながら行うことができるため、微調整も容易且つ確実に行うことができ、前枠１３の揺動防止をより確実且つより好適に行うことができる。
【００３７】
次に、図１２〜図２３を参照しつつ、本発明の第２の実施の形態に係る遊技機の施錠装置について説明する。なお、以下の本実施の形態の説明において、上記した第１の実施の形態の場合と同様の構成については、説明の簡略化のため、図１２〜図２３中、図１〜図１１と同一の符号を付し、詳細な説明を省略する。また、本実施の形態に係る施錠装置は上部及び下部共にほぼ同様の構成を有しているが、一部の構成が上下で異なるので、以下の説明では、施錠装置の上部について説明した後、施錠装置１５の下部について上部と異なる構成を中心に説明する。
【００３８】
ここで、図１２は本実施の形態におけるパチンコ遊技機を示す正面図、及びその施錠装置を拡大して示す正面図、図１３はパチンコ遊技機を開放した状態を示す背面図、及びその施錠装置を拡大して示す背面図、図１４はパチンコ遊技機を示す側面図、及びその施錠装置を拡大して示す側面図、図１５は本発明の第２の実施の形態に係る遊技機の施錠装置を示す分解斜視図、図１６は施錠装置を示す斜視図、図１７（ａ）は施錠装置の操作前の状態を示す側面図、図１７（ｂ）はその操作後の状態を示す側面図、図１８は施錠装置を示す平面図、図１９は施錠装置を下側に設置した状態を示す平面図であって、回転変位部材を二点鎖線で示しており、図２０（ａ）は施錠装置の操作前の状態を示す背面図、図２０（ｂ）はその操作後の状態を示す背面図、図２１（ａ）は施錠装置の要部の操作前の状態を示す背面図、図２１（ｂ）はその操作後の状態を示す背面図、図２２（ａ）〜（ｃ）は前後揺動抑止機構の作用を示す側断面図、図２３は施錠装置を分解して示す側面図である。
【００３９】
施錠受け金具３７のベース部材７８は、固定部８０と、施錠受け部８１と、左右方向移動規制部８２とから構成されており、固定部８０の下端には左右方向移動規制ピン７４が当接可能なように受け座９０が突設されている。また、施錠受け部８１には、中央部に挿通孔１１１が穿設されており、その挿通孔１１１には、施錠受け部８１に対して背面側から見て右方向に回転可能なように回転変位部材１１２が挿通されている。回転変位部材１１２は、挿通孔１１１に挿通される挿通部１１３と、挿通部１１３の前端側に形成された操作部１１４と、挿通部１１３の後端側に形成された支持軸部１１５と、支持軸部１１５に嵌着されるフック部材当接部１１６とから構成され、操作部１１４と施錠受け部８１との間には円筒スリーブ１１７が介装されている。さらに、支持軸部１１５はＤカット断面形状を成しており（図２４参照）、操作部１１４とフック部材当接部１１６とが一体に回転動作可能なようになっている。
【００４０】
フック部材当接部１１６は、ＡＢＳ樹脂やポリカーボネート等の硬質樹脂製であり、扇形を成しており、後面には傾斜面１１９が形成されている。鉛直面に対するこの傾斜面１１９の傾斜角度βは受け部係合部７２の基端面７３の傾斜角度αと同一又はそれ以下の角度に設定されており（図２３参照）、フック部材当接部１１６の背面側から見て右方向への回転に伴い、厚みが増すようになっている。また、操作部１１４の前端部には六角柱状の係合溝部１２０が形成されており、前枠１３の前面側から六角レンチ等の操作具１２１をこの係合溝部１２０に係合させ、回転させると、フック部材当接部１１６が回転するようになっている。なお、前枠１３には操作具１２１挿入用の操作孔６８が形成されており、この操作孔６８に操作具１２１を通すことにより、前枠１３の前面側からフック当接部材１１６の回転操作が可能となっている。
【００４１】
このように、回転変位部材１１２の回転により、フック部材当接部１１６がフック部材４４の基端面７３と施錠受け部８１の後面との間の前後方向の間隙１００に進入し、フック部材当接部１１６がフック部材４４の基端面７３及び施錠受け部８１の後面に当接し、フック部材４４の前後方向の移動を規制し、外枠１２に対する前枠１３の前後方向の揺動が抑止可能となるように構成されている。すなわち、ベース部材７８の施錠受け部８１と、回転変位部材１１２のフック部材当接部１１６とを主体として、前後揺動抑止機構が構成されている。
【００４２】
また、フック部材４４の受け部係合部７２が施錠受け部８１に係合し、左右方向移動規制ピン７４の先端が受け座９０に当接すると共に施錠受け金具当接部７５が左右方向移動規制部８２に当接すると、フック部材４４の左右方向の揺動が規制され、外枠１２に対する前枠１３の左右方向の揺動が抑止可能となるように構成されている。すなわち、左右方向移動規制部８２と、左右方向移動規制ピン７４と、施錠受け金具当接部７５と、受け座９０とを主体として、左右揺動抑止機構が構成されている。
【００４３】
上記したように、本実施の形態によれば、図１７（ａ）に良く示されているように、右側枠杆３６に対するベース部材７８の固定用ビスの側方の取付スペースに回転変位部材１１２が干渉しないようになっているため、予め回転変位部材１１２をベース部材７８に取り付けた後にそのベース部材７８を右側枠杆３６に取り付けることができる。したがって、ベース部材７８と回転変位部材１１２の組み付け作業を効率良く行なうことができる。
【００４４】
次に、本発明の第２の実施の形態に係る遊技機の施錠装置の作用について説明する。なお、説明の簡略化のため、以下の説明においては、施錠装置の上部を主体に説明すると共に、上記した第１の実施の形態と同様の構成の作用及び効果については、詳細な説明を省略する。
【００４５】
外枠１２に対して前枠１３を押し込むと、図１７（ａ）及び図２０（ａ）に示すように、受け部係合部７２が施錠受け部８１の下端と係合し、フック部材４４は下方に傾動する。そして、前枠１３をさらに閉鎖位置まで押し込むと、受け部係合部７２の頂部が施錠受け部８１を潜り越え、受け部係合部７２は施錠受け部８１に掛止する。また、この時、左右方向移動規制ピン７４の先端は案内部９１により案内され、受け座９０に当接すると共に、施錠受け金具当接部７５が左右方向移動規制部８２に当接するため、フック部材４４の左右方向の揺動が規制され、外枠１２に対する前枠１３の左右方向の揺動が抑止される（図１９参照）。
【００４６】
次に、このように受け部係合部７２が施錠受け部８１に掛止した状態において、前枠１３の前面側から操作具１２１を操作部１１４の係合溝部１２０に係合し、その操作具１２１を前面から見て左方向に回転させる。そうすると、フック部材当接部１１６が同方向に回転し、図１７（ｂ）及び図２０（ｂ）に示すように、フック部材４４の基端面７３と施錠受け部８１の後面との間の前後方向の間隙１００にフック部材当接部１１６が進入する。
【００４７】
より具体的には、例えば、図２２（ａ）に示すように、フック部材４４の基端面７３と施錠受け部８１の後面との間に前後方向の間隙１００がまったく生じない理想的な場合には、フック部材当接部１１６の回転は、フック部材当接部１１６がフック部材４４の受け部係合部７２の近傍位置或いはその受け部係合部７２に当接する位置において、停止される。一方、図２２（ｂ）に示すように、その間隙１００が広い場合（ｕ１の場合）には、フック部材当接部９５の回転角度が大きくなり、間隙１００に深く進入し、また、図２２（ｃ）に示すように、その間隙１００が狭い場合（ｕ２の場合）には、フック部材当接部９５の回転角度が小さくなり、間隙１００に浅く進入する。そして、両方いずれの場合にも、間隙１００は、フック部材当接部１１６によって填塞され、これにより、フック部材４４の前後方向の移動が規制され、外枠１２に対する前枠１３の前後方向の揺動が抑止される。また、前枠１３は、外枠１２の方に付勢され、調整ゲージの設定に整合するようになっている。
【００４８】
この場合、フック部材当接部１１６の傾斜面９７の傾斜角度βが受け部係合部７２の基端面７３の傾斜角度αと同一又はそれ以下の角度に設定されているため（図２３参照）、フック部材当接部１１６の回転動作は円滑且つ確実に行われる。
【００４９】
次に、図１９により、施錠装置１５の下部について上部と異なる構成を中心に説明する。
【００５０】
施錠金具３５において、ベース板３８の固定片４０には操作具１２１が挿通可能な操作孔１２２が穿設されている。また、第１昇降杆４６において、操作孔１２２の近接部分１２３は、ベース板３８の立設片４１側に屈曲しており、操作孔１２２を挿通する操作具１２１と干渉しないようになっている。そして、このように施錠金具３５の下側部分を形成させることにより、下側の施錠装置についても、操作孔１２２を介して操作具１２１を操作部１１４の係合溝部１２０に係合させることができるため、回転変位部材１１２を前枠１３の前面側から操作することが可能となる。
【００５１】
なお、上記した第２の実施の形態では、上下の施錠装置共に、前枠１３の前面側から操作可能なように構成されているが、例えば、上記した第１の実施の形態に係る施錠装置、或いは、図２４に示す変更例のように、いずれか一方の施錠装置１５のフック部材当接部１２４の後端側に係合溝部１２５を形成し、前枠１３の背面側からも操作可能なように構成してもよい。このように構成すると、上下の施錠装置１５を操作する場合、先ず、前枠１３の背面側から、フック部材当接部１２４を直接操作し、前後及び左右方向の揺動を抑止した後、これを基準として、前枠１３の前面側から操作具１２１を使用して他方のフック部材当接部１１６を操作することができる。
【００５２】
すなわち、パチンコ遊技機１１の出荷時に製造ライン上において、外枠１２に前枠１３をセットした状態で前記揺動防止機構の操作及び調整を背面側から目視しながら行った後に、その揺動防止機構を基準として、他の揺動防止機構を前枠１３の前面側から操作及び調整を行うことができ、また、パチンコ遊技機１１を出荷後、遊技島に取り付ける迄の過程において、前後方向に間隙１００ができたとしても、前記他の揺動防止機構を前枠１３の前面側から操作及び調整を行うことができる。したがって、揺動防止機構の操作、調整及び微調整を容易且つ確実に行うことができ、前枠１３の揺動防止をより確実且つより好適に行うことができる。
【００５３】
また、上記第２の実施の形態において、フック部材当接部１１６は背面側から見て右方向に回転可能となっているが、図２４に示すように、反対の左方向に回転可能なように傾斜面１２６を上記した場合と反対向きに形成させてもよい。
【００５４】
さらに、図２４に示すように、回転変位部材１２７が施錠受け部８１に螺挿可能なように回転変位部材１２７にネジ部１２８を形成してもよい。この場合、回転変位部材１２７の回転動作に加えて、ネジ部１２８の螺挿動作によっても回転変位部材１２７が施錠受け部８１に対して前後方向に変位するようになるため、前枠１３の背面側から回転変位部材１２７を回転させて調整した後に、さらに前枠１３の前面側から操作部１１４を介してネジ部１２８を回転させることにより、微調整ができるようになる。
【００５５】
なお、上記第１及び第２の実施の形態において、左右揺動抑止機構として、フック部材４４側に側方当接部である左右方向移動規制ピン７４を設け、施錠受け金具３７側に被側方当接部である受け座９０を設けているが、反対に、フック部材４４側に被側方当接部を設け、施錠受け金具３７側に側方当接部を設けてもよい。
【００５６】
また、上記第１及び第２の実施の形態では、本発明をパチンコ遊技機１１に適用した場合について説明したが、これは単なる例示に過ぎず、本発明は、スロットマシン等、パチンコ遊技機１１以外の他の遊技機にも適用可能であることは言う迄もない。
【図面の簡単な説明】
【００５７】
【図１】本発明の第１の実施の形態におけるパチンコ遊技機を示す正面図、及びその施錠装置を拡大して示す正面図である。
【図２】本発明の第１の実施の形態におけるパチンコ遊技機を開放した状態を示す背面図、及びその施錠装置を拡大して示す背面図である。
【図３】本発明の第１の実施の形態におけるパチンコ遊技機を示す側面図、及びその施錠装置を拡大して示す側面図である。
【図４】本発明の第１の実施の形態に係る遊技機の施錠装置を示す分解斜視図である。
【図５】本発明の第１の実施の形態における施錠装置を示す斜視図である。
【図６】（ａ）は本発明の第１の実施の形態に係る遊技機の施錠装置の操作前の状態を示す側面図であり、（ｂ）はその操作後の状態を示す側面図である。
【図７】本発明の第１の実施の形態に係る遊技機の施錠装置を分解して示す側面図である。
【図８】（ａ）〜（ｃ）は、本発明の第１の実施の形態に係る遊技機の施錠装置における前後揺動抑止機構の作用を示す側断面図である。
【図９】本発明の第１の実施の形態に係る遊技機の施錠装置を示す平面図である。
【図１０】本発明の第１の実施の形態に係る遊技機の施錠装置の要部を示す平面図である。
【図１１】（ａ）は本発明の第１の実施の形態に係る遊技機の施錠装置の操作前の状態を示す背面図であり、（ｂ）はその操作後の状態を示す背面図である。
【図１２】本発明の第２の実施の形態におけるパチンコ遊技機を示す正面図、及びその施錠装置を拡大して示す正面図である。
【図１３】本発明の第２の実施の形態におけるパチンコ遊技機を開放した状態を示す背面図、及びその施錠装置を拡大して示す背面図である。
【図１４】本発明の第２の実施の形態におけるパチンコ遊技機を示す側面図、及びその施錠装置を拡大して示す側面図である。
【図１５】本発明の第２の実施の形態に係る遊技機の施錠装置を示す分解斜視図である。
【図１６】本発明の第２の実施の形態における施錠装置を示す斜視図である。
【図１７】（ａ）は本発明の第２の実施の形態に係る遊技機の施錠装置の操作前の状態を示す側面図であり、（ｂ）はその操作後の状態を示す側面図である。
【図１８】本発明の第２の実施の形態に係る遊技機の施錠装置を示す平面図である。
【図１９】本発明の第２の実施の形態に係る遊技機の施錠装置の要部を示す平面図である。
【図２０】（ａ）は本発明の第２の実施の形態に係る遊技機の施錠装置の操作前の状態を示す背面図であり、（ｂ）はその操作後の状態を示す背面図である。
【図２１】（ａ）は本発明の第２の実施の形態に係る遊技機の施錠装置の要部の操作前の状態を示す背面図であり、（ｂ）はその操作後の状態を示す背面図である。
【図２２】（ａ）〜（ｃ）は、本発明の第２の実施の形態に係る遊技機の施錠装置における前後揺動抑止機構の作用を示す側断面図である。
【図２３】本発明の第２の実施の形態に係る遊技機の施錠装置を分解して示す側面図である。本発明の第２の実施の形態に係る遊技機の施錠装置を示す平面図である。
【００５８】
【図２４】本発明の第２の実施の形態に係る遊技機の施錠装置の変更例を示す分解斜視図である。
【図２５】（ａ）及び（ｂ）は従来例の要部を示す背面図である。
【図２６】（ａ）及び（ｂ）は別の従来例の要部を示す背面図である。
【符号の説明】
【００５９】
１１          パチンコ遊技機
１２          外枠
１３          前枠
１５          施錠装置
３５          施錠金具
３７          施錠受け金具
４４          フック部材
８１          施錠受け金具
８７          前後変位部材
９５          フック部材当接部
１００        間隙
１１２        回転変位部材
１１６        フック部材当接部
１２４        フック部材当接部
１２７        回転変位部材
【図１】
2005261659.tif 000003
【図２】
2005261659.tif 000004
【図３】
2005261659.tif 000005
【図４】
2005261659.tif 000006
【図５】
2005261659.tif 000007
【図６】
2005261659.tif 000008
【図７】
2005261659.tif 000009
【図８】
2005261659.tif 000010
【図９】
2005261659.tif 000011
【図１０】
2005261659.tif 000012
【図１１】
2005261659.tif 000013
【図１２】
2005261659.tif 000014
【図１３】
2005261659.tif 000015
【図１４】
2005261659.tif 000016
【図１５】
2005261659.tif 000017
【図１６】
2005261659.tif 000018
【図１７】
2005261659.tif 000019
【図１８】
2005261659.tif 000020
【図１９】
2005261659.tif 000021
【図２０】
2005261659.tif 000022
【図２１】
2005261659.tif 000023
【図２２】
2005261659.tif 000024
【図２３】
2005261659.tif 000025
【図２４】
2005261659.tif 000026
【図２５】
2005261659.tif 000027
【図２６】
2005261659.tif 000028